(57)【特許請求の範囲】
【請求項１】
絶縁ハウジングと、その絶縁ハウジングの少なくとも一部を覆う導電性シェルと、前記絶縁ハウジングに取り付けられて嵌合相手の他のコネクタに電気的に接続されるコンタクト部材と、前記他のコネクタの係止部に係合して嵌合状態を保持するサイドラッチと、を備えたものであって、
信号伝送媒体が連結されたパドルカードの両面の少なくとも一方に設けられた信号伝送用の電極部に前記コンタクト部材が接続される構成になされたＵＳＢコネクタにおいて、
前記導電性シェルは、前記パドルカードの両面に当接して当該パドルカードを挟持状態とする一対のシェル突起部を備えている一方、
前記サイドラッチが、前記他のコネクタの係止部に設けられたグランド接点部に係合して嵌合状態を保持しながらグランド接続を行う構成を有するものであって、
前記サイドラッチは、前記パドルカードに設けられたグランド導電路に対して電気的に接続される第１のラッチ接点部と、前記導電性シェルに接続される第２のラッチ接点部と、を備えていることを特徴とするＵＳＢコネクタ。
【請求項２】
前記シェル突起部が前記パドルカードに当接する部位は、前記コンタクト部材が前記パドルカードに当接する部位に対して信号伝送の方向に位置ズレした状態に配置されていることを特徴とする請求項１記載ＵＳＢコネクタ。
【請求項３】
前記シェル突起部は、前記パドルカードに設けられたグランド導電路に電気的に接続されるシェル接点部を備えていることを特徴とする請求項１記載のＵＳＢコネクタ。
【請求項４】
前記絶縁ハウジングは、前記第１のラッチ接点部に対して前記パドルカードを挟んで対向するハウジング突起部を備え、
前記第１のラッチ接点部とハウジング突起部とにより前記パドルカードを挟持する構成になされていることを特徴とする請求項１記載のＵＳＢコネクタ。
【発明の詳細な説明】
【技術分野】
【０００１】
本発明は、信号伝送媒体が連結されたパドルカードが、嵌合相手の他のコネクタに電気的に接続されるコンタクト部材に接続される構成になされたＵＳＢコネクタに関する。
【背景技術】
【０００２】
ＵＳＢコネクタの規格は種々のものが存在しているが、近年、上下左右対称な構造によって、どちらの向きでも挿し込むことができる構造とした、いわゆるタイプＣと呼ばれるＵＳＢコネクタが使用されつつある。そのようなタイプＣ規格のＵＳＢコネクタにおいては、同軸ケーブルなどの信号伝送媒体に連結されたパドルカード（中継基板）が、導電性シェルの内部に配置されている。そして、そのパドルカードに形成された電極部に対して、絶縁ハウジングに取り付けられたコンタクト部材の接点部が、半田接合等により電気的に接続されるとともに、他の相手コネクタに嵌合された状態にあっては、上述したコンタクト部材の他の接点部が、他の相手コネクタに対して電気的に接触される構成になされている。
【０００３】
ここで、一般的なタイプＣ規格のＵＳＢコネクタでは、絶縁ハウジングに設けられた凹状の挟持部によってパドルカードの端縁部が片持ち状に保持される構造になされている。そのため、パドルカードに対する保持力が不十分になり易い上に、絶縁ハウジングの挟持部に削れが発生した場合には、パドルカードの保持力が急速に低下してパドルカードの姿勢が安定しなくなることが考えられ、電気的な接続信頼性に問題を招来するおそれがある。
【先行技術文献】
【特許文献】
【０００４】
【特許文献１】特開２０１５−２３０７７０号公報
【特許文献２】実用新案登録第３１９５８４５号公報
【発明の開示】
【発明が解決しようとする課題】
【０００５】
そこで本発明は、簡易な構成で、パドルカードの姿勢を安定的に維持させることができるようにしたＵＳＢコネクタを提供することを目的とする。
【課題を解決するための手段】
【０００６】
上記目的を達成するために請求項１にかかる発明は、 絶縁ハウジングと、その絶縁ハウジングの少なくとも一部を覆う導電性シェルと、前記絶縁ハウジングに取り付けられて嵌合相手の他のコネクタに電気的に接続されるコンタクト部材と、前記他のコネクタの係止部に係合して嵌合状態を保持するサイドラッチと、を備えたものであって、信号伝送媒体が連結されたパドルカードの両面の少なくとも一方に設けられた信号伝送用の電極部に前記コンタクト部材が接続される構成になされたＵＳＢコネクタにおいて、前記導電性シェルは、前記パドルカードの両面に当接して当該パドルカードを挟持状態とする一対のシェル突起部を備えている一方、前記サイドラッチが、前記他のコネクタの係止部に設けられたグランド接点部に係合して嵌合状態を保持しながらグランド接続を行う構成を有するものであって、前記サイドラッチは、前記パドルカードに設けられたグランド導電路に対して電気的に接続される第１のラッチ接点部と、前記導電性シェルに接続される第２のラッチ接点部と、を備えた構成になされている。
【０００７】
このような構成を備えた請求項１にかかる発明によれば、導電性シェルに設けられた一対のシェル突起部が、パドルカードを両面から挟持するようにして強固に保持することから、ＵＳＢコネクタが他のコネクタに嵌合された際にあっても、バドルカードの姿勢が安定的に維持され、良好な信号伝送機能が得られる。
また、このような構成を備えた請求項１にかかる発明によれば、サイドラッチの第１及び第２のラッチ接点部を介してグランド接続が行われるため、グランド機能の強化が図られるとともに、サイドラッチの第１のラッチ接点部を介してバドルカードが一層安定的に保持される。
【０００８】
このとき、請求項２にかかる発明のように、前記シェル突起部が前記パドルカードに当接する部位は、前記コンタクト部材が前記パドルカードに当接する部位に対して信号伝送の方向に位置ズレした状態に配置されていることが望ましい。
【０００９】
このような構成を備えた請求項２にかかる発明によれば、信号伝送の方向においてコンタクト部材とシェル突起部との２箇所でパドルカードが保持されることから、パドルカードが厚さ方向に撓まされるような、いわゆる煽り方向の外力が付与された場合であっても、パドルカードの姿勢が良好に安定される。
【００１０】
また、請求項３にかかる発明のように、前記シェル突起部は、前記パドルカードに設けられたグランド導電路に電気的に接続されるシェル接点部を備えていることが望ましい。
【００１１】
このような構成を備えたる請求項３にかかる発明によれば、導電性シェルが、シェル突起部を介してグランド接続されることから、グランド機能が強化される。
【００１４】
さらにまた、請求項５にかかる発明のように、前記絶縁ハウジングは、前記第１のラッチ接点部に対して前記パドルカードを挟んで対向するハウジング突起部を備え、前記第１のラッチ接点部とハウジング突起部とにより前記パドルカードを挟持する構成になされていることが望ましい。
【００１５】
このような構成を備えたる請求項５にかかる発明によれば、サイドラッチの第１のラッチ接点部による保持力がハウジング突起部によりさらに強化されることから、当該バドルカードの姿勢がさらに一層向上される。
【発明の効果】
【００１６】
以上の通り本発明は、絶縁ハウジングの少なくとも一部を覆う導電性シェルに、パドルカードの両面に当接して当該パドルカードを挟持状態とする一対のシェル突起部を設け、パドルカードを一対のシェル突起部により挟持するようにして強固に保持し、ＵＳＢコネクタが他の相手コネクタに嵌合された際にあってもバドルカードの姿勢を安定的に維持して良好な信号伝送機能が得られるとともに、サイドラッチの第１及び第２のラッチ接点部を介してグランド接続を行うことによりグランド機能を強化しつつ、サイドラッチの第１のラッチ接点部を介してバドルカードを一層安定的に保持する構成としたものであるから、簡易な構成で、パドルカードの姿勢を安定させることができる。
【図面の簡単な説明】
【００１７】
【図１】本発明の一実施形態にかかるＵＳＢコネクタをコネクタ後方側の上方から表した外観斜視説明図である。
【図２】図１に示されたＵＳＢコネクタをコネクタ前方側の上方から表した外観斜視説明図である。
【図３】図１及び図２に示されたＵＳＢコネクタの平面説明図である。
【図４】図１〜図３に示されたＵＳＢコネクタの正面説明図である。
【図５】図１〜図４に示されたＵＳＢコネクタの背面説明図である。
【図６】図１〜図５に示されたＵＳＢコネクタの側面説明図である。
【図７】図１〜図６に示されたＵＳＢコネクタにおいて、導電性シェル及び絶縁ハウジングを取り除いた内部構造を表した外観斜視説明図である。
【図８】図１〜図６に示されたＵＳＢコネクタの後端部分におけるコネクタ幅方向の片側を拡大して表した外観斜視説明図である。
【図９】図１〜図８に示されたＵＳＢコネクタにパドルカードを装着した状態を表した外観斜視説明図である。
【図１０】図９中の IX で示した部分を拡大して表した外観斜視説明図である。
【図１１】図９におけるパドルカードを装着したＵＳＢコネクタを表した背面説明図である。
【図１２】図１１に示されたパドルカードを装着したＵＳＢコネクタの後端部分におけるコネクタ幅方向の片側を拡大して表した外観斜視説明図である。
【図１３】図１〜図８に示されたＵＳＢコネクタを、嵌合の相手となるリセプタクルコネクタ（他のコネクタ）に嵌合した状態を表した外観斜視説明図である。
【図１４】図１３に示されたリセプタクルコネクタ（他のコネクタ）とＵＳＢコネクタとの嵌合状態を表した平面説明図である。
【図１５】図１３及び図１４に示されたリセプタクルコネクタ（他のコネクタ）とＵＳＢコネクタとの嵌合状態を表した背面説明図である。
【図１６】図１３〜図１５に示されたリセプタクルコネクタ（他のコネクタ）とＵＳＢコネクタとの嵌合状態を表したものであって、ＵＳＢコネクタの一部を破断して内部構造を示した側面説明図である。
【発明を実施するための形態】
【００１８】
以下、本発明を適用した実施の形態を、図面に基づいて詳細に説明する。
【００１９】
［ＵＳＢコネクタの全体構造について］
図１〜図８に示されている本発明の一実施形態にかかるプラグコネクタ１０は、薄厚の中空箱状をなす絶縁性の樹脂材からなる絶縁ハウジング１１を備えているとともに、その絶縁ハウジング１１における中空状の内部空間には、多極状をなすようにして複数体のコンタクト部材１２を保持するサブハウジング（図示省略）が、上下２段にわたって配列されている。また、それら絶縁ハウジング１１及びコンタクト部材１２を保持するサブハウジングを外方側から覆う薄板の金属状部材の中空箱状の折曲げ体からなる導電性シェル１３が、絶縁ハウジング１１を取り囲むように装着されている。
【００２０】
さらに、上述した絶縁ハウジング１１の中空内部には、例えば図７に示すように同じく薄板の金属状部材の打抜き体からなる一対のサイドラッチ１４，１４を有する連結板（図７中の符号１４ａ参照）が、上述した上下２段のサブハウジングの間部分に挟まれるようにして取り付けられている。この一対のサイドラッチ１４，１４は、後述するように嵌合相手としてのリセプタクルコネクタ（他のコネクタ）２０との嵌合時（図１３及び図１４参照）に、当該リセプタクルコネクタ２０の一部に係合する構成になされている。
【００２１】
すなわち、本発明にかかるプラグコネクタ１０は、特に図１３〜図１６に示されているように、印刷配線基板（図示省略）上に実装された嵌合相手としてのリセプタクルコネクタ（他のコネクタ）２０に嵌合される構成（図１３〜図１６参照）を備えており、そのときの嵌合は、印刷配線基板の表面の延在方向に沿って行われる。ここで、プラグコネクタ１０が、他のコネクタとしてのリセプタクルコネクタ２０に嵌合される方向、すなわち印刷配線基板の表面の延在方向を、以下において「水平面方向」とする。
【００２２】
また、プラグコネクタ１０の嵌合が行われるにあたっては、当該プラグコネクタ１０の先端部分がリセプタクルコネクタ（他のコネクタ）２０の内部に差し込まれ、又はリセプタクルコネクタ２０から抜去される関係になされているが、そのようにプラグコネクタ１０の嵌合・抜去が行われる方向を「コネクタ前後方向」とし、嵌合される方向を「コネクタ前方」、抜去される方向を「コネクタ後方」とする。さらに、リセプタクルコネクタ２０に差し込まれるプラグコネクタ１０の先端部分を「コネクタ前端部分」とし、その反対側の部分を「コネクタ後端部分」とする。なお、本実施形態におけるプラグコネクタ１０及びリセプタクルコネクタ２０によって実行される「信号伝送」は、「コネクタ前後方向」に行われる。
【００２３】
一方、上述したコンタクト部材１２が多極状に配列されている「多極配列方向」は、「水平面方向」であって、かつプラグコネクタ１０の嵌合・抜去が行われる「コネクタ前後方向」に略直交する「コネクタ幅方向」となっている。また、その「多極配列方向」である「コネクタ幅方向」と、「コネクタ前後方向」との双方に直交する方向を「コネクタ高さ方向」とし、印刷配線基板の表面から離間する方向を「上方向」、印刷配線基板の表面に近付く方向を「下方向」とする。
【００２４】
このようなプラグコネクタ１０の「コネクタ後端部分」には、例えば図９に示すように同軸ケーブル等の信号伝送媒体（図示省略）が連結されたパドルカード（中継基板ボード）Ｐが連結されている。そのパドルカードＰの表裏両面に形成された信号伝送用の電極部Ｐ１には、上述したコンタクト部材１２の後端側部分が接続される構成になされている。また、パドルカードＰの表裏両面に形成されたグランド接地用の電極部Ｐ２には、上述したサイドラッチ１４の後端側部分、及び後述する導電性シェル１３に設けられた一対のシェル突起部１３ｂ，１３ｂが、半田接合により電気的に接続される構成になされている。
【００２５】
［コンタクト部材について］
上述したように上下２段にわたって配置されたコンタクト部材１２は、サブハウジング（図示省略）にそれぞれ保持されているが、それらの各サブハウジングから「コネクタ前後方向」に片持ちビーム状に突出する部分が、絶縁ハウジング１１に「コネクタ前後方向」に延在するように形成された複数体のコンタクト取付け溝（図示省略）の内部に収容された状態で装着されている。すなわち、それらのコンタクト取付け溝は、絶縁ハウジング１１の中空部を形成している上下の内壁部に、当該中空部を介して「コネクタ高さ方向」に対向する状態で上下２段にわたって配置されている。そして、それら上下２段のコンタクト取付け溝に装着されたコンタクト部材１２の片持ちビーム状突出部分も、絶縁ハウジング１１の中空部を介して「コネクタ高さ方向」に上下２段にわって「コネクタ前後方向」に延在するように配置されており、それら上下のコンタクト部材１２，１２同士が、「コネクタ高さ方向」において対称的に対向する配置関係になされている。
【００２６】
このように、各コンタクト部材１２における「コネクタ前後方向」の前端部分及び後端部分は、上述した絶縁ハウジング１１のコンタクト取付け溝から、それぞれ前方側及び後方側に向かって片持ち状に延出しているとともに、その延出端部には、例えば図７に示すように突形状をなす前端側接点部１２ａ及び後端側接点部１２ｂが、上下のコンタクト部材１２，１２において互いに近接した状態に対向する配置関係になされている。それらの前端側接点部１２ａ及び後端側接点部１２ｂは、コンタクト部材１２の弾性に基づいて、「コネクタ高さ方向」において互いに近接又は離間するように弾性的に変位する構成になされている。
【００２７】
そして、上述したコンタクト部材１２の前端側接点部１２ａは、プラグコネクタ１０がリセプタクルコネクタ（他のコネクタ）２０に嵌合された際に、リセプタクルコネクタ２０に設けられた電極部（図１６参照）に対して、弾性的に当接して電気的に接続される配置関係になされている。また、コンタクト部材１２の後端側接点部１２ｂは、上述したパドルカード（中継基板ボード）Ｐの信号伝送用の電極部Ｐ１に当接した状態で、半田接合により電気的に接続される構成になされている。
【００２８】
［導電性シェルについて］
一方、上述した導電性シェル１３の前端部分には、例えば図２に示すように嵌合相手としてのリセプタクルコネクタ（他のコネクタ）２０に嵌合される横長状の前端開口部が設けられており、その前端開口部には、舌片状をなすようにしてグランド接続片１３ａが複数体にわたって設けられている。それらの各グランド接続片１３ａは、プラグコネクタ１０がリセプタクルコネクタ（他のコネクタ）２０に嵌合された際に、リセプタクルコネクタ２０側に設けられたグランド端子（図示省略）に対して電気的に嵌合される構成になされている。
【００２９】
また、その導電性シェル１３の前端部分に設けられた前端開口部を通して、前述した上下２段のコンタクト部材１２の前端側接点部１２ａが、例えば図４に示すようにコネクタ前方側に向かって露出された状態になされている。さらに、上述した導電性シェル１３の後端部分にも、同じく横長状の後端開口部が設けられており、その後端開口部を通して、前述した上下２段のコンタクト部材１２の後端側接点部１２ｂが、例えば図５に示すようにコネクタ後方側に向かって外方に突出した状態になされている。
【００３０】
そして、そのように導電性シェル１３の後端開口部を通して外方に突出している上下２段のコンタクト部材１２の後端側接点部１２ｂ，１２ｂ同士の間部分には、例えば図９に示すように同軸ケーブル等の信号伝送媒体（図示省略）が連結されたパドルカード（中継基板ボード）Ｐが、コネクタ後方側から前方に向かって挿入された状態になされている。そのパドルカードＰの表裏両面に形成されている信号伝送用の電極部Ｐ１に対して、コンタクト部材１２の後端側接点部１２ｂ，１２ｂが上下から接触された状態で半田材により接合されており、それによって信号伝送回路が構成されるようになっている。このとき、多極配列の方向において複数の後端側接点部１２ｂを一括的に半田接合することが可能である。
【００３１】
また、前述したように導電性シェル１３の後端縁部分における「コネクタ幅方向」の両側部分には、板状をなすシェル突起部１３ｂが、「コネクタ後方側」に向かって突出するように設けられている。それらの各シェル突起部１３ｂは、例えば図８に示すように導電性シェル１３の後端開口部を形成しているシェル壁部の一部をなすように形成されており、「コネクタ幅方向」の片側部分において各々一対のものが、「コネクタ高さ方向」において互いに対称的な形状を有している。それら片側一対の各シェル突起部１３ｂ，１３ｂは、互いに対向する頂部を有する形状になされており、それら互いに近接する方向に突出している各頂部に、グランド接点部としてのシェル接点部が形成されている。
【００３２】
すなわち、上述した片側一対のシェル突起部１３ｂ，１３ｂ同士の間部分には、例えば図９に示すように前述したパドルカード（中継基板ボード）Ｐの端縁部分が、コネクタ後方側から前方に向かって挿入されるようにして装着されており、そのパドルカードＰの表裏両面における「コネクタ幅方向」の両側部分に形成されたグランド接地用の電極部Ｐ２に対して、上述した片側一対のシェル突起部１３ｂ，１３ｂのシェル接点部が、「コネクタ高さ方向」の上下から当接した状態で半田材により接合されている。それによって、パドルカードＰの端縁部分は、片側一対のシェル突起部１３ｂ，１３ｂ間に挟持されて固定状態になされるとともに、グランド（接地）回路が構成されるようになっている。
【００３３】
このようにパドルカード（中継基板ボード）Ｐのグランド接地用の電極部Ｐ２に当接するシェル突起部１３ｂは、前述したパドルカードＰの信号伝送用の電極部Ｐ１に当接するコンタクト部材１２の後端側接点部１２ｂに対して、「コネクタ後方」側にやや位置ズレされた状態に配置されており、信号伝送の方向である「コネクタ前後方向」においてコンタクト部材１２とシェル突起部１３ｂとの２箇所でパドルカードＰが保持され、それによって、パドルカードＰが厚さ方向に撓むような、いわゆる煽り方向の外力が付与された場合であっても、バドルカードＰの姿勢が良好に安定される構成になされている。
【００３４】
［サイドラッチについて］
一方、前述したサイドラッチ１４は、例えば図７、１０に示すように多極配列方向（コンタクト幅方向）における両側のコンタクト部材１２から、同方向の外方に張り出すようにして一対のものが配置されており、それら一対のサイドラッチ１４，１４同士を一体的に接続している平板状の連結板１４ａが、上述した絶縁ハウジング１１の中空部の内方に配置された状態で、前述した上下のサブハウジング同士の間に挟まれるようにして固定されている。そして、このような絶縁ハウジング１１の中空部の内方に配置された連結板１４ａにおける「コネクタ幅方向」の両端縁部には、一対のサイドラッチ１４，１４が、「コネクタ幅方向」の外方に張り出すように設けられており、それらの各サイドラッチ１４が、「水平面方向」において「コネクタ前方」側に向かって片持ち状をなして弾性変位可能に延出している。
【００３５】
上述した各サイドラッチ１４の延出側（前方側）の先端部分には、フック状をなす係合部１４ｂが、「コネクタ幅方向」における内方側（コネクタ中心側）に向かって突出するようにそれぞれ設けられている。それらの各係合部１４ｂは、他のコネクタとしてのリセプタクルコネクタ２０にプラグコネクタ１０が嵌合された際に、リセプタクルコネクタ２０の内部に凹状をなすように設けられた係止部（図示省略）に対して「コネクタ幅方向」の外方側から係合し、それによって両コネクタ１０，２０同士の嵌合状態を維持する構成になされている。
【００３６】
このとき、上述したリセプタクルコネクタ（他のコネクタ）２０に設けられた係止部（図示省略）には、グランド接点部が形成されており、他のコネクタとしてのリセプタクルコネクタ２０にプラグコネクタ１０が嵌合されることで、各サイドラッチ１４の係合部１４ｂがリセプタクルコネクタ２０側の係止部に係合された際に、当該サイドラッチ１４を介して、次のようなグランド（接地）回路が構成されるようになっている。
【００３７】
すなわち、まず上述した平板状の連結板１４ａにおける「コネクタ幅方向」の両端縁部には、各サイドラッチ１４に対して「コネクタ後方」寄りの部位からグランド接続部１４ｃが、「コネクタ後方」側に向かって延出するようにそれぞれ設けられている。それらの各グランド接続部１４ｃの延出端部分には、グランド接点部をなす第１のラッチ接点部１４ｄが設けられており、当該グランド接続部１４ｃに設けられた第１のラッチ接点部１４ｄが、前述したパドルカードＰの片面（上面）における「コネクタ幅方向」の両側部分に形成されているグランド接地用の電極部Ｐ２（図９参照）に当接した状態で、半田材により接合されている。
【００３８】
この第１のラッチ接点部１４ｄが接合されるパドルカード（中継基板ボード）Ｐのグランド接地用の電極部Ｐ２は、前述したコンタクト部材１２の後端側接点部１２ｂが接合される信号伝送用の電極部Ｐ１に対して、「コネクタ幅方向」の両側外方に一対配置されている。
【００３９】
このようなグランド接続部１４ｃの第１のラッチ接点部１４ｄに対応して、例えば図８に示すように絶縁ハウジング１１にはハウジング突起部１１ａが設けられている。このハウジング突起部１１ａは、上述した第１のラッチ接点部１４ｄの下方位置において、パドルカード（中継基板ボード）Ｐを介して「コネクタ高さ方向」に対向するように配置されており、それらの第１のラッチ接点部１４ｄとハウジング突起部１１ａとの間部分にパドルカードＰが挟持される構成になされている。
【００４０】
さらに、前述した各サイドラッチ１４の後端部分には、例えば図１０に示すように導電性シェル１３の内壁面に接触して電気的に接続される第２のラッチ接点部１４ｅが突起片をなすように設けられている。この第２のラッチ接点部１４ｅは、上述した導電性シェル１３のシェル突起部１３ｂを介してグランド接続される構成になされている。
【００４１】
このような構成を備えた本実施形態によれば、導電性シェル１３に設けられた一対のシェル突起部１３ｂ，１３ｂが、パドルカード（中継基板ボード）Ｐを表裏両面から挟持するようにして強固に保持することから、プラグコネクタ１０がリセプタクルコネクタ（他のコネクタ）２０に嵌合された際（図１３〜図１６参照）にあっても、バドルカードＰの姿勢が安定的に維持され、良好な信号伝送機能が得られる。
【００４２】
特に、本実施形態におけるシェル突起部１３ｂは、コンタクト部材１２がパドルカード（中継基板ボード）Ｐに当接する部位に対して信号伝送の方向（コネクタ前後方向）に位置ズレした状態に配置されていることから、信号伝送の方向（コネクタ前後方向）においてコンタクト部材１２とシェル突起部１３ｂとの２箇所でパドルカード（中継基板ボード）Ｐが保持されることとなり、当該パドルカードＰが厚さ方向に撓まされるような、いわゆる煽り方向の外力が付与された場合であっても、バドルカードＰの姿勢が良好に安定される。
【００４３】
さらに、本実施形態においては、導電性シェル１３に設けられたシェル突起部１３ｂが、パドルカード（中継基板ボード）Ｐに設けられたグランド接地用の電極部Ｐ２に電気的に接続されるシェル接点部を備えていることから、当該シェル突起部１３ｂを介して導電性シェル１３のグランド接続が行われ、グランド機能が強化されるようになっている。
【００４４】
さらにまた、本実施形態におけるサイドラッチ１４の係合部１４ｂが、嵌合相手としてのリセプタクルコネクタ（他のコネクタ）２０の係止部（図示省略）に設けられたグランド接点部に係合して嵌合状態を保持する構造に加えて、本実施形態におけるサイドラッチ１４は、パドルカード（中継基板ボード）Ｐのグランド接地用の電極部Ｐ２に当接してグランド接続を行う第１のラッチ接点部１４ｄと、導電性シェル１３に接続される第２のラッチ接点部１４ｅと備えている。よって、サイドラッチ１４の第１のラッチ接点部１４ｄを介してバドルカードＰが一層安定的に保持されるとともに、サイドラッチ１４の第１及び第２のラッチ接点部１４ｃ，１４ｄを介してグランド接続が行われ、グランド機能の強化が図られるようになっている。
【００４５】
また、本実施形態における絶縁ハウジング１１は、第１のラッチ接点部１４ｄに対してパドルカード（中継基板）Ｐを挟んで対向するハウジング突起部１１ａを備えていることから、サイドラッチ１４の第１のラッチ接点部１４ｄによる保持力が、ハウジング突起部１１ａにより安定的に得られ、バドルカードＰの姿勢がさらに一層向上されるようになっている。
【００４６】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４７】
例えば上述した実施形態では、パドルカードの表裏両面にコンタクト部材が接触する構成になされているが、パドルカードの片面のみにコンタクト部材が接触する構成とすることも可能である。
【産業上の利用可能性】
【００４８】
本発明は、各種電気機器に使用する多種多様なＵＳＢコネクタに対して広く適用することが可能である。
【符号の説明】
【００４９】
１０  プラグコネクタ
１１  絶縁ハウジング
１１ａ  ハウジング突起部
１２  コンタクト部材
１２ａ  前端側接点部
１２ｂ  後端側接点部
１３  導電性シェル
１３ａ  グランド接続片
１３ｂ  シェル突起部
１４  サイドラッチ
１４ａ  連結板
１４ｂ  係合部
１４ｃ  グランド接続部
１４ｄ  第１のラッチ接点部
１４ｅ  第２のラッチ接点部
２０  リセプタクルコネクタ（他のコネクタ）
Ｐ  パドルカード（中継基板ボード）
Ｐ１  信号伝送用の電極部
Ｐ２  グランド接地用の電極部
【図１】
0006344576.tif 000002
【図２】
0006344576.tif 000003
【図３】
0006344576.tif 000004
【図４】
0006344576.tif 000005
【図５】
0006344576.tif 000006
【図６】
0006344576.tif 000007
【図７】
0006344576.tif 000008
【図８】
0006344576.tif 000009
【図９】
0006344576.tif 000010
【図１０】
0006344576.tif 000011
【図１１】
0006344576.tif 000012
【図１２】
0006344576.tif 000013
【図１３】
0006344576.tif 000014
【図１４】
0006344576.tif 000015
【図１５】
0006344576.tif 000016
【図１６】
0006344576.tif 000017